(57)【特許請求の範囲】
【請求項１】
前方に開口する前方開口部を有する箱状に形成された洗浄機本体内に、上方に開口する洗浄槽が前記前方開口部から前後方向に出し入れできるように収容されている食器洗浄機であって、前記洗浄槽の前方に設けられる前面パネル部は、外装面を構成する外装パネルと、前記外装パネルの背部に配設され前記洗浄槽に嵌合するための少なくとも一つの嵌合用リブを有した背面パネルとを備えているとともに、左右端部にフランジを設けて上方より見た時に略コの字型に形成した前記外装パネルで前記背面パネル側面を隠すように構成され、かつ前記外装パネル下面が前記背面パネルに設けられたフランジ部と接するように構成されることを特徴とする食器洗浄機。
【請求項２】
前記前面パネル部は、背面に凹部を形成しない前記外装パネルと前記背面パネルが両面接着テープで接着されて構成されている請求項１記載の食器洗浄機。
【請求項３】
前記前面パネル部は、メタリック成型により成型された前記外装パネルを備えた請求項１又は２記載の食器洗浄機。
【発明の詳細な説明】
【技術分野】
【０００１】
本発明は、システムキッチンを構成するキッチンカウンタ下などにビルトインされ、洗浄槽を前後に進退移動させて食器類を出し入れするプルオープン型の食器洗浄機に関するものである。
【背景技術】
【０００２】
従来のビルトイン型の食器洗浄機において、図８は食器洗浄機がビルトインされたシステムキッチンの斜視図である。図９はシステムキッチンにビルトインされた食器洗浄機の断面模式図、図１０は食器洗浄機の洗浄槽前部の断面図である。
【０００３】
図８は、食器洗浄機１０１がシステムキッチンを構成するキッチンカウンタＫの下にビルトインされた状態を示すもので、食器洗浄機１０１の前面１０２の上部には操作パネル１０５が設けられ、その下方にはキッチンカウンタＫの下に配置されたシステムキッチン構築物の表面材と同一の素材で色調、図柄を同一にした化粧面材１０６が取り付けられている。従って、食器洗浄機１０１がビルトインされてシステムキッチンを構成したときに周囲のシステムキッチン構築物との統一感が得られ、美麗な外観のシステムキッチンを構成することができるものである（例えば、特許文献１参照）。
【０００４】
食器洗浄機１０１は、図９に示すように、前方に開口する開口部１０７を有する箱状に形成された本体１０４内に、食器類１１６が収納される洗浄槽１０３を開口部１０７から前後に進退移動させ、前方に引き出して上方に開口する洗浄槽１０３から食器類を出し入れすることができるようにしたプルオープン型に構成されている。
【０００５】
図１０に示すように、洗浄槽１０３の前面は、前面上方から前方に延出形成された操作パネル取付部１０８と、洗浄槽１０３の前面下方から前方に延出形成された面材取付部１０９に配設された化粧面材１０６とを有する。化粧面材１０６は洗浄槽１０３の前面外壁１０３ａとの間に空間を形成して取り付けられる。操作パネル取付部１０８には表面から操作パネル１０５が取り付けられ、その内側の洗浄槽１０３との間に形成される空間にスイッチ類を収容した電装品収容部１２０が取り付けられる。化粧面材１０６と洗浄槽１０３の前面外壁１０３ａとの間に形成される空間には、制御回路を構成した回路基板などを収容した制御回路収容部１２１などが配設される。
【０００６】
このようにして、システムキッチンの奥行き寸法に対し収納できる食器洗浄機１０１は、洗浄すべき食器類１１６を収納する洗浄槽１０３などに加え、化粧面材１０６などの前面パネルや、操作パネル１０５、電装品収容部１２０などの操作部の奥行き寸法を加えた総奥行き寸法によって決定されており、前面パネルが外装面として構成されていた。本外装面はパネルや面材を取り付けない場合、そのまま外装面として露出するため意匠面を目的として塗装などが行われる。
【先行技術文献】
【特許文献】
【０００７】
【特許文献１】特開２００５−２５３８２２号公報
【発明の概要】
【発明が解決しようとする課題】
【０００８】
しかしながら、このような従来の構成では、意匠的な目的のために本体外装面を塗装や加飾フィルム等を施すと、コストが大きくなるため、マイカなどの光沢感を付与させる粉
体などを混ぜたメタリック成形が工法として考えられるが、本外装部品背面に嵌合リブなどの構造物を有していると、ウエルドやフローマークなどの問題があり実用化が困難であった。そのため、リブなどを有する部品と外装面を有する外装部品など複数の部品に分割した設計が考えられるが、単純に複数の部品を合わせただけでは、洗浄槽を前方に引き出した際に、前面パネル側面に複数の部品が重なった状態が見え、外観を損ねるという問題を有していた。また、前面パネル背面には電装部を有しており、複数の部品で構成すると、高い嵌合力が保持されず、前記外装部品が外れた場合に不安全になるという課題を有していた。
【課題を解決するための手段】
【０００９】
前記従来の課題を解決するために、本発明は、前記前面パネルは上面断面図で見ると略コの字型の形状を有する外装部品と、リブなどの形状を有する背面部品で構成されており、略コの字型の前記外装部品が前記背面部品を覆うように配置されることで、前記洗浄槽を引き出した時の側面は前記外装部品の意匠となり、外観が良い。また、同時に前記外装部品下側には前記背面部品下端部に設けたフランジ部に嵌合させる嵌合構成を取ることで高い嵌合力を有することができるため、限られた奥行き寸法の中で安全性を保ちながら、安全性と意匠性の両立を実現することができる。
【発明の効果】
【００１０】
本発明の食器洗浄機によれば、自由度の高い意匠性と高い嵌合力の両方を備えた前面パネル部を有する食器洗浄機を実現することができる。
【図面の簡単な説明】
【００１１】
【図１】実施の形態１に係る食器洗浄機をビルトインしたキッチンシステムの例を示す斜視図
【図２】実施の形態１に係る食器洗浄機の構成を示す断面図
【図３】同食器洗浄機の操作部と前面パネル部の分解斜視図
【図４】同食器洗浄機の前面パネル部の上面断面図
【図５】同食器洗浄機の前面パネル部の下部構成を示す側面断面図
【図６】同食器洗浄機の他の前面パネル部の下部構成を示す側面断面図
【図７】同食器洗浄機の他の操作部と前面パネル部の分解斜視図
【図８】従来の食器洗浄機をシステムキッチンにビルトインした状態を示す斜視図
【図９】従来の食器洗浄機をシステムキッチンにビルトインした状態の断面模式図
【図１０】従来の食器洗浄機の洗浄槽の前部の断面図
【発明を実施するための形態】
【００１２】
第１の発明は、前方に開口する前方開口部を有する箱状に形成された洗浄機本体内に、上方に開口する洗浄槽が前記前方開口部から前後方向に出し入れできるように収容されている食器洗浄機であって、前記洗浄槽の前方に設けられる前面パネル部は、外装面を構成する外装パネルと、前記外装パネルの背部に配設され前記洗浄槽に嵌合するための少なくとも一つの嵌合用リブを有した背面パネルとを備えたことにより、自由度の高い意匠性と高い嵌合力の両方を備えた前面パネル部を有する食器洗浄機を実現することができる。また、左右端部にフランジを設けて上方より見た時に略コの字型に形成した前記外装パネルで前記背面パネル側面を隠すように構成され、かつ前記外装パネル下面が前記背面パネルに設けられたフランジ部と接するように構成されることにより、外装パネルの成形性の向
上と色彩等の自由度の高い意匠性が得られ、簡単かつ安価な構成で奥行き寸法が薄い前面パネル部を実現でき、自由度の高い意匠性と高い嵌合力の両方を備えた前面パネル部を有する食器洗浄機を実現することができる。
【００１３】
第２の発明は、上記第１の発明において、前記前面パネル部は、左右端部にフランジを設けて上方より見た時に略コの字型に形成した前記外装パネルで前記背面パネル側面を隠すように構成され、かつ前記外装パネル下面が前記背面パネルに設けられたフランジ部と接するように構成されることにより、外装パネルの成形性の向上と色彩等の自由度の高い意匠性が得られ、簡単かつ安価な構成で奥行き寸法が薄い前面パネル部を実現でき、自由度の高い意匠性と高い嵌合力の両方を備えた前面パネル部を有する食器洗浄機を実現することができる。
【００１４】
第２の発明は、上記第１の発明において、前記前面パネル部は、背面に凹部を形成しない前記外装パネルと前記背面パネルが両面接着テープで接着されて構成されていることにより、外装面にウエルドやフローマークなどの発生がないきわめて高い外観性の外装パネルを有するとともに高い嵌合保持力を有した前面パネル部とすることができ、前面パネル部の洗浄槽への取り付け、取り外しの作業性と安全性を向上させることができる。
【００１５】
第３の発明は、第１又は第２の発明において、前記前面パネル部は、メタリック成型により成型された前記外装パネルを備えていることにより、塗装や加飾フィルムに代ってきわめて高い外観性を有するとともに、コスト低減や環境面での負荷低減を図ることができる。
【００１６】
以下、本発明の実施の形態について、図面を参照しながら説明する。なお、この実施の形態によって本発明が限定されるものではない。
【００１７】
（実施の形態１）
図１は、本実施形態に係る食器洗浄機をシステムキッチンを構成するキッチンカウンタＫの下にビルトインした状態を示す斜視図、図２は同食器洗浄機の側面図、図３は同食器洗浄機前面の操作部と前面パネル部の分解斜視図である。
【００１８】
図１と図２において、食器洗浄機１は、前面パネル部２の上方に操作部５が設けられている。また、図２に示すように、前方開口部７を有する箱状に形成された洗浄機本体４内に、上方に開口する洗浄槽３を洗浄機本体４の前方開口部７から前後方向に出し入れできるようにし、前方に引き出して上方に開口する洗浄槽３から食器類１６を出し入れすることができるようにしたプルオープン型に構成されている。
【００１９】
前面パネル部２は、洗浄機本体４の前面を覆うことができる幅に形成されているので、洗浄槽３を洗浄機本体４に収納した状態において、前面パネル部２は洗浄機本体４の前方開口部７を閉じ、図１に示すように、周囲のシステムキッチン構築物との間に所定の間隙を隔ててシステムキッチンの構築物中に統一感のある状態に設置される。また同時に、前面パネル部２の背面側に電装部６を有し、前面パネル部２が電装部６より前面に配置されることにより、水の電装部６への浸入や使用者が電装部６に触れたりすることで、不安全にならないような構成となっている。
【００２０】
洗浄機本体４には給水、排水の配管接続及び電源接続がなされ、洗浄槽３には洗浄機本体４から給水弁１１、給水ポンプ１２、給水パイプ１３を通じて給水接続がなされ、洗浄槽３の底面に配設されて回転駆動される洗浄ノズル１４から洗剤を混入させた洗浄水又はすすぎ水を噴射させて食器カゴ１５に収容した食器類１６を洗浄する。この洗浄槽３は、その外側面に取り付けられた第２のスライドレール１８を洗浄機本体４の内側面に取り付けられた第１のスライドレール１７上でスライドさせることにより、洗浄機本体４の前方開口部７から出し入れすることができる。洗浄槽３を洗浄機本体４内に押し入れたときには、洗浄槽３の上方開口部は内蓋１９によって密閉され、洗浄する水が外部に飛散しないようにしている。
【００２１】
洗浄槽３の前方には、前面パネル部２が設けられ、前面パネル部２上方には操作部５が設けられている。操作部５には、図１に示すように、洗浄槽３を洗浄機本体４内に収納状態に保持するロック機構を解除して洗浄槽３の引き出しを可能にするロック解除レバー１０や、食器乾燥時の乾燥空気の排気口９、食器洗浄機１の運転を操作する操作入力ボタン８ａ、運転状況等を表示する表示部８ｂなどが設けられている。
【００２２】
前面パネル部は外装面であるため意匠面が重要となるが、本実施の形態における前面パネル部２は、図３に示すように、コスト低減や環境面での負荷低減などを考慮し、塗装や加飾フィルムに代わりマイカなどが混ぜられたメタリック成型により成型された外装パネル２ａと、外装パネル２ａの背部に配設され洗浄槽３前面に嵌合するための嵌合用リブ２２を有した背面パネル２ｂとを備えている。
【００２３】
外装パネル２ａは成形性向上のために、背面にはリブなどの凹部を有しない構成としており、この構成によって、外装パネル２ａにコンパウンドされる材料は、光沢感を目的としたマイカやアルミなどの材料だけでなく、色彩を与えるための顔料など様々な組み合わせで使用することができ、自由度の高い外観意匠ときわめて高い外観性を実現することができる。また、外装パネル２ａには、リブなど凹部を有さない構造としたことで成形性が良くなるため外装面にウエルドやフローマークなどの発生もなく、ＡＢＳのような比較的流動性の低い材料の使用や肉厚を薄くするなどの効果も得られる。また、高級感のある外観の二次加工を施した板材を使用することも可能である。
【００２４】
図４の上面断面図に示すように、前面パネル部２の外装面を構成する外装パネル２ａは、上面から見ると、前面部の左右端部にフランジを後方へ延設した略コの字型の形状を有しており、洗浄槽３を引き出した際に前面パネル部２の側面を見ても、背面パネル２ｂを覆い隠して見せず、外観を損なわないような構成としている。また同時に、図５の側面断面図に示すように、前面パネル部２下側は背面パネル２ｂ下端部に設けられたフランジ部２３に外装パネル２ａ下端が差し込まれた状態で嵌合され、外装パネル２ａ下部は少なくとも下面の一面が背面パネル２ｂと接していることで、高い嵌合力を有する。
【００２５】
逆に、図６のように外装パネル２ａ下端にフランジ部２４を設け、背面パネル２ｂ下面を差し込む構成としても良い。
【００２６】
また、図７のように、外装パネル２ａと背面パネル２ｂ平面部は任意に両面接着テープ２１で接着されることで、高い嵌合保持力を有した前面パネル部２の構成としても良い。このように構成することによって、洗浄槽３への取り付け、取り外し作業時には、外装パネル２ａと背面パネル２ｂが一体となった前面パネル部２として扱えるので、作業性が向上するとともに片方が落下することが無く安全である。また、組み付け後も、前面パネル部２として高い嵌合保持力を確保できる。
【００２７】
上記いずれかの構成で外装パネル２ａと背面パネル２ｂが一体化された前面パネル部２の上部は、食器洗浄機１の前方より締結ネジ２０で洗浄槽３の前面に締結されており、最終的には外装パネル２ａの上部はネジ締結、下部はフランジ嵌合により構成されている。
【００２８】
結果、前面パネル部２に必要な奥行き寸法は背面パネル２ｂの肉厚分しか増えないので、前面パネル部２の嵌合力不足による前面パネル部２落下や電装部６露出による不安全を防ぎながら、限られた奥行きの中で洗浄槽３引き出し時の前面パネル部２側面の外観も含め、自由度の高い意匠性を実現することができる。
【産業上の利用可能性】
【００２９】
以上の説明の通り、本発明によれば、限られた奥行き寸法の中で、前面パネル部の高い嵌合力を有しながら、洗浄槽引き出し時の側面外観も含めた自由度の高い意匠性とコスト力を有する食器洗浄機を実現することができるので、システムキッチンにビルトインされる食器洗浄機等として有用である。
【符号の説明】
【００３０】
１  食器洗浄機
２  前面パネル部
２ａ  外装パネル
２ｂ  背面パネル
３  洗浄槽
４  洗浄機本体
５  操作部
６  電装部
７  前方開口部
８ａ  操作入力ボタン
８ｂ  表示部
９  排気口
１０  ロック解除レバー
２０  締結ネジ
２１  両面接着テープ
２２  嵌合用リブ
２３、２４  フランジ部
【図１】
0005849240.tif 000002
【図２】
0005849240.tif 000003
【図３】
0005849240.tif 000004
【図４】
0005849240.tif 000005
【図５】
0005849240.tif 000006
【図６】
0005849240.tif 000007
【図７】
0005849240.tif 000008
【図８】
0005849240.tif 000009
【図９】
0005849240.tif 000010
【図１０】
0005849240.tif 000011